(57)【要約】  本発明は、熱流センサ２０、２０’と温度センサ２１、２１’とを含む、体外の表面上で決定され得る測定値によって深部体温を決定するためのセンサユニット２に関する。センサユニットが、モノリシック熱流センサ２０、２０’と温度センサ２１、２１’とを含み、モノリシック熱流センサと温度センサとが、相互に離して回路基板２２上に、または回路基板の長手方向に沿って同じ高さで回路基板上にはんだ付けされており、センサ２０、２１が、ワイヤまたはストリップ導体を介してアナログ・デジタル変換器２５とマイクロコントローラ２６とに接続されており、電子部品２０、２１、２５、２６を接続ワイヤ３によって携帯型コンピュータシステムの電子機器回路に接続することができ、センサユニット、または電子部品が配置された回路基板が、回路基板の横方向にセンサ・ユニット・スリーブ２８によって少なくとも部分的に囲まれている。
2020518788.tif 000002
【特許請求の範囲】
【請求項１】
少なくとも１つの熱流センサ（２０、２０’）と少なくとも１つの温度センサ（２１、２１’）とを含む、体外の表面上で決定され得る測定値によって深部体温を決定するためのセンサユニット（２）であって、
前記センサユニット（２）が、異なる材料の複数の層からなるサンドイッチ状構造の形の少なくとも１つのモノリシック熱流センサ（２０、２０’）と、少なくとも１つの温度センサ（２１、２１’）とを含み、前記少なくとも１つのモノリシック熱流センサ（２０、２０’）と、前記少なくとも１つの温度センサ（２１、２１’）とが、少なくとも１つのプリント回路基板（２２）上で互いに離間されて配置されているか、または前記少なくとも１つのプリント回路基板（２２）上もしくは異なるプリント回路基板上に長手方向に沿って同じ高さではんだ付けされており、
前記センサ（２０、２０’、２１、２１’）が、ワイヤまたはストリップ導体によってアナログ・デジタル変換器（２５）およびマイクロコントローラ（２６）に接続されており、
前記電子部品（２０、２１、２５、２６）を、接続ワイヤ（３）またはストリップ導体によって携帯型コンピュータシステム（０）の電子機器回路に接続することができ、センサユニット（２）、または電子部品（２０、２１、２５、２６）が配置された前記少なくとも１つのプリント回路基板（２２）が、前記少なくとも１つのプリント回路基板（２２）の横方向にセンサ・ユニット・スリーブ（２８）によって少なくとも部分的に囲まれている、
ことを特徴とするセンサユニット（２）。
【請求項２】
前記センサユニット（２）が２つのプリント回路基板（２２）を含み、前記少なくとも１つの熱流センサ（２０、２０’）と前記少なくとも１つの温度センサ（２１、２１’）とが、空間的に分離された異なるプリント回路基板（２２）上に配置されている、請求項１に記載のセンサユニット（２）。
【請求項３】
前記少なくとも１つのプリント回路基板（２２）が前記温度センサ（２１、２１’）と共に少なくとも部分的に前記センサ・ユニット・スリーブ（２８）に囲まれていない状態のままである、請求項２に記載のセンサユニット（２）。
【請求項４】
前記少なくとも１つのモノリシック熱流センサ（２０）と前記少なくとも１つの温度センサ（２１）とが、前記少なくとも１つのプリント回路基板（２２）の同じ側に重なり合って積層されているか、または、前記長手方向に沿って相互に離間されて、はんだ付けされている、請求項１に記載のセンサユニット（２）。
【請求項５】
前記センサユニット（２）、または前記少なくとも１つのプリント回路基板（２２）が、前記センサ・ユニット・スリーブ（２８）に完全に包み込まれている、請求項１または４のいずれか一項に記載のセンサユニット（２）。
【請求項６】
アナログ・デジタル変換器（２５）が前記少なくとも１つのプリント回路基板（２２）上に直接取り付けられて配置されている、請求項１から５のいずれか一項に記載のセンサユニット（２）。
【請求項７】
さらにマイクロコントローラ（２６）と読み出し／記憶ユニット（２７）とが前記少なくとも１つのプリント回路基板（２２）上に取り付けられて配置されている、請求項６に記載のセンサユニット（２）。
【請求項８】
２つの熱流センサ（２０、２０’）が前記長手方向に互いに離間されて、前記少なくとも１つのプリント回路基板（２２）の同じ側にはんだ付けされており、断熱材（２３）が、前記長手方向に前記第１の熱流センサ（２０）の高さで、熱流センサを含まない前記プリント回路基板（２２）の側に配置されており、第１の熱流を、前記断熱材（２３）および前記第１の熱流センサ（２０）を通して測定することができ、第２の熱流を、前記第２の熱流センサ（２０’）を通して測定することができる、請求項１から７のいずれか一項に記載のセンサユニット（２）。
【請求項９】
２つの熱流センサ（２０、２０’）が前記長手方向に互いに離間されて、前記少なくとも１つのプリント回路基板（２２）の同じ側にはんだ付けされており、熱キャパシタンス（２４）が、前記長手方向に前記第１の熱流センサ（２０）の高さで、熱流センサを含まない前記少なくとも１つのプリント回路基板（２２）の側に配置されており、第１の熱流を、前記熱キャパシタンス（２４）および前記第１の熱流センサ（２０）を通して測定することができ、第２の熱流を、前記第２の熱流センサ（２０’）を通して測定することができる、請求項１から８のいずれか一項に記載のセンサユニット（２）。
【請求項１０】
熱流センサを含まない前記少なくとも１つのプリント回路基板（２２）の側に、金属板（３０）が、断熱材（２３）、および／または熱キャパシタンス（２４）、および／または熱伝導材料でできているブロック、および／または前記センサ・ユニット・スリーブ（２８）の一部と広範囲に接するように配置されている、請求項１に記載のセンサユニット（２）。
【請求項１１】
前記少なくとも１つのプリント回路基板（２２）の片側に、熱流センサ（２０）、第１の温度センサ（２１’）、および断熱材（２３）が前記長手方向に互いに離間されて配置されており、熱流センサを含まない前記少なくとも１つのプリント回路基板（２２）の反対側に、第２の温度センサ（２１）が前記長手方向に沿って前記断熱材（２３）の高さで配置されており、第１の温度を、前記第１の温度センサ（２１’）の位置で測定することができ、第２の温度を、前記熱流が前記断熱材（２３）を通った後の前記第２の温度センサ（２１）の位置で測定することができる、請求項１から１０のいずれか一項に記載のセンサユニット（２）。
【請求項１２】
前記少なくとも１つのモノリシック熱流センサ（２０、２０’）、前記少なくとも１つの温度センサ（２１、２１’）、前記アナログ・デジタル変換器（２５）、前記マイクロコントローラ（２６）、前記断熱材（２３）、および／または熱キャパシタンス（２４）が、集積回路（２９）にパッケージ化され、前記少なくとも１つのプリント回路基板（２２）の片側に取り付けられている、請求項１から１１のいずれか一項に記載のセンサユニット（２）。
【請求項１３】
前記センサ・ユニット・スリーブ（２８）が機械的に柔軟であり、前記熱伝導率が０．３〜１０Ｗ／ｍＫに、好ましくは０．８〜３Ｗ／ｍＫにあり、すなわち、前記センサ・ユニット・スリーブ（２８）が特に好ましくは熱伝導シリコーンから製造されている、請求項１から１２のいずれか一項に記載のセンサユニット（２）。
【請求項１４】
前記断熱材（２３）の材料が、０．０１Ｗ／（ｍ＊Ｋ）〜０．１Ｗ／（ｍ＊Ｋ）の熱伝導率λを有し、ポリマー、特にエチレン・プロピレン・ジエンゴム（ＥＰＤＭ）、またはポリプロピレンである、請求項８から１３のいずれか一項に記載のセンサユニット（２）。
【請求項１５】
前記少なくとも１つのプリント回路基板（２２）の断面領域が少なくとも部分的に円形であり、前記ストリップ導体が少なくとも部分的に輪状線に沿って前記少なくとも１つのプリント回路基板（２２）の中央まで案内され、前記少なくとも１つの熱流センサ（２０）と前記少なくとも１つの温度センサ（２１）とのはんだ付け面が前記少なくとも１つのプリント回路基板（２２）の中央に位置する、請求項１から１４のいずれか一項に記載のセンサユニット（２）。
【請求項１６】
前記少なくとも１つのプリント回路基板（２２）の中央が空洞（Ａ）によって囲まれており、前記空洞（Ａ）が腎臓形として実施されている、請求項１５に記載のセンサユニット（２）。
【請求項１７】
前記センサ・ユニット・スリーブ（２８）、または前記プリント回路基板（２２）上に配置された金属棒（Ｍ）が、皮膚接触面（１０）と反対の前記プリント回路基板（２２）の側から突出し、特に好ましくはハウジング（１）の壁まで延在している、請求項１から１６のいずれか一項に記載のセンサユニット（２）。
【請求項１８】
断熱材（２３）、および／または熱キャパシタンス（２４）が、前記プリント回路基板（２２）内を通って配置されており、断熱層含有物（２３）、好ましくは空気溜りによって、かつ／または熱ビア（２４）によって形成されている、請求項１から１７のいずれか一項に記載のセンサユニット（２）。
【請求項１９】
請求項１から１８のいずれか一項に記載のセンサユニット（２）を有する、携帯型コンピュータシステム（０）。
【請求項２０】
プリント回路基板（２２）上に少なくとも１つの測定センサと電子部品とを含む、センサユニット（２）を、携帯型コンピュータシステム（０）のハウジング（１）に統合するための方法であって、
貫通孔（１２）の形の空洞（１２）を有するハウジング（１）を設けるステップと、
アナログ・デジタル変換器（２５）とマイクロコントローラ（２６）と読み出し／記憶ユニット（２７）とに接続されている少なくとも１つの熱流センサ（２０、２０’）が突出するプリント回路基板（２２）を含む、前記センサユニット（２）を設けるステップと、
前記プリント回路基板（２２）を前記ハウジング（１）内の前記貫通孔（１２）の上方に位置決めし、前記プリント回路基板（２２）を前記ハウジング（１）の壁に取り付けるステップと、
一方の側が閉じられた前記貫通孔（１２）を、センサ・ユニット・スリーブ（２８）を形成する流動性材料で充填するステップと、その後に、
前記プリント回路基板（２２）を接続ワイヤ（３）によって前記携帯型コンピュータシステム（０）の電子機器回路に接続するステップと、
によることを特徴とする方法。
【請求項２１】
前記貫通孔（１２）を充填する前記ステップの後に、前記センサ・ユニット・スリーブ（２８）が皮膚接触面（１０）の方向に前記貫通孔（１２）から少なくとも部分的に突出する、請求項２０に記載のセンサユニット（２）を統合するための方法。
【請求項２２】
プリント回路基板（２２）上に少なくとも１つの測定センサと電子部品とを含むセンサユニット（２）の製造、および、前記センサユニット（２）の、携帯型コンピュータシステム（０）のハウジング（１）への、または皮膚（Ｈ）上に取り付けるための接着パッド（４）への統合であって、
空洞（１２、１３）を有するハウジング（１）、または空洞（１２’）を有する接着パッド（４）を設けるステップと、
前記センサユニット（２）を設けるステップと
前記センサユニット（２）を鋳型（５）に挿入するステップであって、接続ワイヤ（３）が前記鋳型（５）から突出する、前記挿入するステップと、
機械的に柔軟な硬化材料、好ましくは熱伝導シリコーンを、センサ・ユニット・スリーブ（２８）を形成するように前記鋳型（５）に注入するステップと、
前記センサ・ユニット・スリーブ（２８）を硬化させるステップと、
前記センサ・ユニット・スリーブ（２８）によって囲まれた前記センサユニット（２）を、前記携帯型コンピュータシステム（０）の前記ハウジング（１）内の前記空洞（１２、１３）、または前記接着パッド（４）内の前記空洞（１２’）に挿入するステップと、
その後に前記接続ワイヤ（３）を前記携帯型コンピュータシステム（０）の前記電子機器回路に接続するステップと、
によることを特徴とする製造および統合。
【請求項２３】
前記鋳型（５）が、前記センサ・ユニット・スリーブ（２８）の前記材料上に一回鋳型として残る、請求項２２に記載の方法。
【請求項２４】
前記鋳型（５）が、前記センサ・ユニット・スリーブ（２８）を硬化させる前記ステップの後に前記センサ・ユニット・スリーブ（２８）から取り外される、請求項２２に記載の方法。
【請求項２５】
前記空洞（１２、１３、１２’）が貫通孔（１２）として設計されている、請求項２４に記載の方法。
【請求項２６】
前記空洞（１２、１３、１２’）が止まり穴（１２）として設計されている、請求項２４に記載の方法。
【請求項２７】
前記空洞（１２、１３、１２’）の内壁が、前記センサ・ユニット・スリーブ（２８）、または前記鋳型（５）に入った前記センサ・ユニット・スリーブ（２８）が前記空洞（１２、１３）に差し込まれる前に、接着剤で被覆される、請求項２２から２６のいずれか一項に記載の方法。
【発明の詳細な説明】
【技術分野】
【０００１】
本発明は、少なくとも１つの熱流センサと少なくとも１つの温度センサとを含む、体外の表面上で決定され得る測定値によって深部体温を決定するためのセンサユニットと、センサユニットを有する携帯型コンピュータシステムと、少なくとも１つの測定センサとプリント回路基板上の電子部品とを含むセンサユニットの製造と、携帯型コンピュータシステムのハウジングへの、または皮膚上に取り付けるための接着パッドへのセンサユニットの統合とを記述する。
【背景技術】
【０００２】
測定機能を有する携帯型技術データ処理装置は、衣服の一部として、またはアクセサリーの形で、ハウジングありまたはなしで、様々な構成において公知の技術である。これらの携帯型コンピュータシステムまたはウェアラブルコンピュータは、「ウェアラブルコンピューティング」という研究分野の主題である。ウェアラブルコンピュータまたは携帯型コンピュータシステムは少なくとも１つのセンサユニットを有し、センサユニットでは実世界から少なくとも１つのセンサを介してデータが収集される。測定されたデータは次いで、携帯型コンピュータシステム自体で処理されるか、または別のコンピュータ、特にスマートフォンに転送される。ユーザは記録されたデータを閲覧し、それをさらに処理することができる。携帯型コンピュータシステムはハウジングを含み、ハウジング内にセンサユニットと電子機器回路とが統合されている。一般に、電子機器回路は、少なくとも１つのマイクロコントローラと１つの読み出し／記憶ユニットとを有し、これらはセンサユニットに接続されている。
【０００３】
ウェアラブルコンピュータ、または携帯型コンピュータシステムの一例が、フィットネスもしくはヘルスアームバンド、スマートバンド、またはフィットネストラッカとも呼ばれる、活動量計である。電子機器回路で動作するソフトウェアを使用して、センサユニットの少なくとも１つのセンサからのデータが収集され、さらに処理され、必要に応じてメモリに格納され、かつ／またはスマートフォンに転送される。したがって、走行距離、エネルギー消費量、また場合によっては、心拍数、体温、血液中の酸素含有量、または睡眠の質などのフィットネスおよび健康に関連するデータを決定することができる。
【０００４】
ここでは、携帯型コンピュータシステムによる体内温度、すなわち深部体温の決定が関心対象である。皮膚上で測定される、体内温度の非侵襲的、連続的決定は、病院における患者監視、運動選手における心発作の予防、または睡眠障害その他の疾病の診断のための概日リズムの決定および監視に重要である。
【０００５】
最も簡単な事例では、携帯型コンピュータシステムのセンサユニットは、センサおよびその周囲の断熱と組み合わせた皮膚温度を決定する温度センサに基づくものである。断熱の目的は、皮膚温度を深部体温に可能な限り近く保つことである。多くの場合、この方法は不正確であり、変化する外部条件の下での使用には適さない。
【０００６】
深部体温の測定を改善するために、携帯型コンピュータシステムのセンサユニットは、ＤＥ１００３８２４７に記録されているように、いわゆるダブル温度センサを含み得る。ここでは、２つの温度センサは、既知の熱抵抗を有する断熱材によって互いに分離されている。ほとんどの場合、この方法は、測定の人と場所とに左右される熱抵抗を決定するために較正測定を必要とする。
【０００７】
ダブルセンサ法は複数の不都合点を有する。１つの厳しい問題は、２つの温度センサ間の熱寄生熱損失によって表され、これは大きな偏差をもたらす可能性がある。これらは、ＤＥ１０２００５００４９３３に記載されているように、断熱と複雑な補償アルゴリズムとによって解決されなければならない。もう１つの不都合点は、システムのサイズにある。良好な感度を達成するためには、適用時の温度差は十分に大きくなければならず、これは２つの温度センサ間の材料が特定の最小厚さを有しなければならないことを意味する。これにより、センサシステムはかなり分厚くかさばるものになり、先行技術のハウジングへの統合を容易にするのにあまり適さなくなる。
【０００８】
深部体温を決定するための公知の技術のセンサユニットは、まだ携帯型コンピュータシステムのハウジングへの統合を容易にするのに適したものではない。寄生熱損失を回避するために、断熱材および追加の構造が必要とされ、結果として設計が複雑になり、センサユニットを携帯型コンピュータシステムのハウジングに統合することが困難になる。別の不都合点は、深部体温を決定するときの公知の技術のセンサユニットの測定の不正確さである。
【０００９】
国際公開第０２／０７８５３８号パンフレットは、ユーザの皮膚に取り付けられる熱流センサの助けを借りた深部体温の決定を提示している。熱流センサはセンサユニットの一部を形成しており、この場合もまた、複雑な方法でコンピュータシステムに取り付けられなければならない。国際公開第２００５／０９２１７７号パンフレットには、深部体温の測定に適した別のセンサユニットが記載されており、これは、とりわけ、熱流センサを含み、同様に携帯型コンピュータシステムに接続することができる。これにより、深部体温を可能な限り正確に決定するという目標に近づいたが、センサユニットの製造および携帯型コンピュータシステムへのセンサユニットの統合は依然として複雑で面倒なままである。
【先行技術文献】
【特許文献】
【００１０】
【特許文献１】ＤＥ１００３８２４７
【特許文献２】ＤＥ１０２００５００４９３３
【特許文献３】国際公開第０２／０７８５３８号パンフレット
【特許文献４】国際公開第２００５／０９２１７７号パンフレット
【発明の概要】
【発明が解決しようとする課題】
【００１１】
本発明の目的は、深部体温の最適化された決定を可能にする、携帯型コンピュータシステムへの設置、または接着パッドの表面もしくは内部への実装のための、容易に設置できるコンパクトなセンサユニットを作成するというものである。
【課題を解決するための手段】
【００１２】
センサユニットの製造を簡素化し、携帯型コンピュータシステムのハウジングの表面もしくは内部への、または接着パッドの表面もしくは内部へのセンサユニットの取り付けを簡素化するための機会が生み出される。
【００１３】
提示のようなセンサユニットを用いて、身体に関する温熱生理学的データ、特に体内温度、すなわち深部体温を測定することができ、それによって熱流および表面温度が決定される。他のパラメータは、皮膚の熱出力、カロリー消費量、カロリー摂取量、血圧、血糖、身体の特定の箇所における内部温度、補償された皮膚温度などとすることができる。
【００１４】
特に、センサユニットの携帯型コンピュータシステムのハウジングへの結合、またはセンサユニットの接着パッドの表面もしくは内部への取り付け、またはテープによる取り付けを、少数の操作ステップで可能にする方法が記載される。
【００１５】
本発明のさらなる特徴、詳細および利点は、図と併せて、本発明の好ましい実施形態の以下の説明から明らかになる。
【図面の簡単な説明】
【００１６】
【図１ａ】統合されたセンサユニットを有する携帯型コンピュータシステムを示す概略断面図である。
【図１ｂ】統合されたセンサユニットを有する携帯型コンピュータシステムを示す概略断面図である。
【図１ｃ】統合されたセンサユニットを有する携帯型コンピュータシステムを示す概略断面図である。
【図２ａ】様々なセンサユニットを示す概略断面図である。
【図２ｂ】様々なセンサユニットを示す概略断面図である。
【図２ｃ】様々なセンサユニットを示す概略断面図である。
【図２ｄ】様々なセンサユニットを示す概略断面図である。
【図２ｅ】様々なセンサユニットを示す概略断面図である。
【図２ｆ】集積回路（ＩＣ）内に封入された電子部品がチップハウジング内に集約されているセンサユニットを示す概略断面図である。
【図３】センサ・ユニット・スリーブを取り付ける前のセンサユニットを示す平面図である。
【図４ａ】センサ・ユニット・スリーブを取り付けた後の図３に示すセンサユニットを示す平面図である。
【図４ｂ】Ｂ−Ｂ断面線に沿った図４ａに示すセンサユニットを示す概略断面図である。
【図５】接着パッドの空洞内にセンサ・ユニット・スリーブを有するセンサユニットを示す概略断面図である。
【図６ａ】ハウジングへのセンサユニットの固定を示す概略断面図である。
【図６ｂ】貫通孔を充填した後のセンサユニットを示す概略断面図である。
【図６ｃ】センサユニットに金属棒を取り付けた後の概略断面を示す図である。
【図７ａ】センサユニットの製造方法の第１のステップを示す概略断面図である。
【図７ｂ】センサ・ユニット・スリーブ内に封入されたセンサユニットを示す概略断面図である。
【図７ｃ】携帯型コンピュータシステムのハウジング内の空洞に押し込まれ、ユーザの皮膚と接触させられた後の、図６ｂに示す封入されたセンサユニットを示す概略断面図である。
【発明を実施するための形態】
【００１７】
携帯型コンピュータシステム０は、ここでは、ハウジング１と中空の内部１１を有するアームバンドの形で表されている。ハウジング１は、皮膚接触面１０で、ユーザの皮膚Ｈ上に置かれている。熱流がユーザの身体から発生し、皮膚Ｈを横切り、携帯型コンピュータシステム０のハウジング１を横断して内部１１に入り、図１ａの詳細図に、ハウジング１を通る熱流が、ＱｉｎからＱｏｕｔとして記されている。人および動物が想定されるユーザである。
【００１８】
センサユニット２は、以下でより詳細に記述されており、ハウジング１内に挿入され、取り外し可能または取り外し不能に取り付けられ、携帯型コンピュータシステム０の電子機器回路（図示せず）に電気的に接続される。センサユニット２は、センサ・ユニット・スリーブ２８によって少なくとも部分的に囲まれており、ハウジング１内に押し込まれる、すなわち、接着剤で接合されるかまたは封入される。センサ・ユニット・スリーブ２８は、熱伝導材料、特にシリコーンから製造されている。後述するように、熱流センサ自体の熱伝導率と同様の熱伝導率を有する材料を使用することによって、熱流を均一化し、よって寄生熱流を最小限に抑えることが可能である。さらに、良好な熱伝導率とは、測定される温度が皮膚温度により近いことを意味する。本発明の場合のセンサ・ユニット・スリーブ２８の伝導率は０．３〜１０Ｗ／ｍＫにあるべきであり、最適には０．８〜３Ｗ／ｍＫである。計測上の理由から、センサユニット２はユーザの皮膚の可能な限り近くに位置するべきであるが、原則として熱経路内のどこにでも配置することができる。
【００１９】
図１ａに示す実施形態では、ハウジング１を完全に横断する貫通孔１２が設けられており、その中に完全に封入されたセンサユニット２が挿入される。センサ・ユニット・スリーブ２８は、貫通孔１２と皮膚接触面１０からわずかに突出しており、使用時にはユーザの皮膚Ｈと接触する。皮膚Ｈから、よって身体から皮膚を介してセンサ・ユニット・スリーブ２８およびセンサユニット２を通る熱流は、使用中にそれ自体を調整し、深部体温を決定するために使用することができる。
【００２０】
図１ｂに示すように、部分的に取り囲むセンサ・ユニット・スリーブ２８を有するセンサユニット２を導入するための、携帯型コンピュータシステムのハウジング１内に止まり穴１３の形の空洞を配置することもできる。ここでもまた、センサ・ユニット・スリーブ２８を含むセンサユニット２は、栓の形で止まり穴１３に挿入され、よってハウジング１に取り外し可能に接続される。
【００２１】
ハウジング１内のセンサ・ユニット・スリーブ２８とセンサユニット２との実装の安定性を高めるために、センサ・ユニット・スリーブ２８は、図１ｃに示すように、ハウジング１を横切って延在することができる。これにより、環境と身体との間の熱平衡がそれ自体を可能な限り迅速に調整するように熱経路が作り出される。したがって、センサ・ユニット・スリーブ２８は、皮膚接触面１０からハウジング１の皮膚接触面１０から遠い側まで延在し、それによってハウジング１を横断する。
【００２２】
図２ａ〜図２ｄに、深部体温を決定するためのセンサユニット２の実施形態を示す。その目的は、可能な限りコンパクトで、機械的にロバストであり、最良の場合には柔軟に構成されているセンサユニット２を作成することである。
【００２３】
センサユニット２の基礎は、少なくとも１つの熱流センサ２０と少なくとも１つの温度センサ２１とがはんだ付けされているプリント回路基板２２である。プリント回路基板２２は、剛性または可撓性のものとして実施することができ、導電体でできているストリップ導体に加えて、絶縁材料、好ましくは繊維強化プラスチックを含む。最適には、少なくとも１つのプリント回路基板２２の材料は、均一な熱流が保証されるように、０．３〜１０Ｗ／ｍＫ、好ましくは０．８〜３Ｗ／ｍＫの熱伝導率を有する。
【００２４】
各種センサ２０、２１は、プリント回路基板２２上のはんだ面に配置されており、はんだで取り付けられている。少なくとも１つの熱流センサ２０および少なくとも１つの温度センサ２１は、長手方向に沿って互いに離間されて配置されている。熱流センサ２０および温度センサ２１は、プリント回路基板２２の同じ側に取り付けられている。
【００２５】
他の構成要素、特に断熱材料２３および熱キャパシタンス２４でできているブロックも、プリント回路基板２２上に取り付けられている。断熱材２３および熱キャパシタンス２４は、アクリル、エポキシ、ポリウレタンなどの接着剤を用いてプリント回路基板２２に接合されるか、または材料が許せばはんだ付けされる。
【００２６】
構成要素間の熱伝達抵抗を可能な限り低く保つために、例えば、熱流センサ２０と熱キャパシタンス２４との間では、接着剤接合の場合には熱伝導接着剤が使用されるべきである。
【００２７】
アナログ・デジタル変換器２５、マイクロコントローラ２６、読み出し／記憶ユニット２７などの電子部品もまた、導電的にプリント回路基板２２上に取り付けることができる。しかしながら、十分に高い測定信号を達成するためには、ワイヤまたは、フレキシブル複合プリント回路基板を形成するいわゆるフレックスリジッドプリント回路基板、プラスチック層と銅層との層状配置によって、アナログ・デジタル変換器２５のみをプリント回路基板２２上に取り付け、マイクロコントローラ２６と読み出し／記憶ユニット２７とをプリント回路基板２２から離れて配置すれば十分である。
【００２８】
接続ワイヤ３は、プリント回路基板２２から出て行くように配置されており、これらは、測定された信号または処理された信号を携帯型コンピュータシステム０の電子機器回路に送る。任意選択で、接続ワイヤ３は、電子部品を接続するためのフレキシブルプリント回路基板またはストリップ導体によって形成することもできる。
【００２９】
センサユニット２の安定性を高め、均一な熱流を達成するために、部品が装着されたプリント回路基板２２は、センサ・ユニット・スリーブ２８によって少なくとも部分的に囲まれている。図２ａおよび図２ｄに示す変形例には、センサ・ユニット・スリーブ２８内に完全に封入されたセンサユニット２が示されているが、この場合のその他の実施形態では、後で皮膚Ｈに面するそのセンサユニット２の側にセンサ・ユニット・スリーブ２８が設けられているだけである。
【００３０】
センサ・ユニット・スリーブ２８は必ずしも１つの材料のみからなる必要はない。例えば、皮膚により適合するシリコーンを皮膚に隣接して配置することができ、次いで熱伝導シリコーンをプリント回路基板２２まで塗布することができる。プリント回路基板２２自体は、センサ・ユニット・スリーブ２８の熱伝導率と同様の熱伝導率を有する。プリント回路基板２２の上方には、別の０．５ｃｍの熱伝導シリコーンがあり、次いで、ハウジングの最上部に至るまで金属棒またはシリコーン充填金属棒がある。試験によれば、少なくとも１つの熱流センサ２０と少なくとも１つの温度センサ２１とがプリント回路基板２２の同じ側に位置しているか、それとも反対側に位置しているかは問題ではない。熱流センサ２０を使用した熱流の測定および温度センサ２１を使用した温度の測定は、実際の深部体温を決定するために使用される。
【００３１】
図２ａにおいて、センサユニット２は、プリント回路基板２２の皮膚に面する側にはんだ付けされた２つの熱流センサ２０、２０’と１つの温度センサ２１とを有する。ここでは、熱流センサを含まないプリント回路基板２２の側に、熱流センサ２０の長手方向の高さで、断熱材２３が取り付けられている。図２ｂに示す変形例では、熱流センサを含まないプリント回路基板２２の側に、熱流センサ２０の長手方向の高さで、熱キャパシタンス２４が取り付けられている。このようにして、第２の熱流センサ２０’を通る熱流と同様に、第１の熱流センサ２０と断熱材２３、または熱キャパシタンス２４とを通る熱流が測定される。２つの測定値は、温度センサ２１による温度の測定と一緒に、深部体温の決定に入力される。断熱材２３または熱キャパシタンス２４ありとなしとの熱流センサ測定値の事前の較正に従って、深部体温の決定を最適化することができる。
【００３２】
断熱材２３は高い熱抵抗を有するので、断熱材２３の材料の熱伝導率λは非常に低い。図２ａに示すように、第１の熱流センサ２０を通る熱流は、断熱材２３によって、第２の熱流センサ２０’を通る熱流とは異なる。断熱材２３として発泡プラスチック材料が使用されるので、第１の熱流センサ２０を通る熱流は第２の熱流センサ２０’を通る熱流よりも少ない。決定的な要因は２つの熱流間の差であり、この差からアルゴリズムの助けを借りて深部体温をより適切に決定することができる。この設計により、各センサ２０、２０’、２１、２１’と皮膚Ｈとの間の熱結合の変化に対してセンサユニット２がよりロバストであることが保証される。熱流差は、決定において考慮に入れられる。そのために、断熱材２３の特性は、既知であり、実験的に決定され較正されなければならない。断熱材材料２３の熱伝導率λは、空気の熱伝導率（λａｉｒ＝０．０２４Ｗ／ｍ／Ｋ）程度、すなわち０．０１Ｗ／ｍ／Ｋ〜０．１Ｗ／ｍ／Ｋであるべきである。
【００３３】
センサ・ユニット・スリーブ２８の材料は、ポリプロピレン、ＰＥＳ、ＰＥ、ＰＥＴ、ポリエチレン、アセタール、ナイロン、ポリブチレンテレフタレート、ポリスルホン、ＰＰＳ、ポリカーボネート、テフロン、ポリエステル、ＰＭＭＡ、ＰＳＵ、ＰＥＥＫ、ＴＰＥ、ＴＰＵ、パリレンまたはＰＴＦＥなどのポリマーを含むことができる。エチレン・プロピレン・ジエンゴム（ＥＰＤＭ）およびポリプロピレンが好ましく選択されている。少なくとも１つのプリント回路基板２２、すなわちプリント回路基板２２の材料を、センサ・ユニット・スリーブ２８の一部とすることもできる。プリント回路基板２２の材料としては、例えば、エポキシ樹脂とガラス繊維織物との複合材料であるＦＲ−４またはＦＲ４を使用することができる。当業者には公知の技術であるように、材料の熱伝導率は、材料がセンサユニット自体の熱伝導率と同様の熱伝導率を有するように、特殊な製造形態（例えば粒子の添加）によって改善し、または適合させることができる。
【００３４】
したがって、熱キャパシタンス２４は非常に低い熱抵抗を有し、材料は非常に高い熱伝導率、すなわち非常に高いλの値を有する。熱キャパシタンス２４は熱を最大限に吸収するべきである。ここでもまた、第１の熱流センサ２０を通る熱流は、第２の熱流センサ２０’を通る熱流とは異なる。熱伝導シリコーンは材料としてうまく使用されてきた。しかしながら、金属もまた使用することができる。熱キャパシタンス２４の材料の熱伝導率λは、空気の熱キャパシタンス（λａｉｒ＝０．０２４Ｗ／ｍ／Ｋ）よりも著しく大きく、すなわち０．１Ｗ／ｍ／Ｋより大きくなければならない。
【００３５】
断熱材２３および熱キャパシタンス２４は、適切な接着剤を用いてプリント回路基板２２に取り付けられる。銅または真鍮が使用される場合、これをプリント回路基板２２上にはんだ付けすることができる。
【００３６】
図２ｃに示す変形例は、熱流センサ２０と２つの温度センサ２１、２１’とを示しており、よって断熱材２３がプリント回路基板２２の熱流センサ側に取り付けられ、プリント回路基板２２の長手方向に同じ高さで温度センサ２１’とは反対側に位置する。温度センサ２１は、プリント回路基板２２に直接接続されているが、断熱材２３からは離間されている。これにより、長手方向と横方向とに互いに距離を置いて配置された２つの温度センサ２１、２１’による２つの異なる温度測定が可能になる。
【００３７】
センサユニット２の電子部品、少なくとも１つの熱流センサ２０、少なくとも１つの温度センサ２１、アナログ・デジタル変換器２５、マイクロコントローラ２６および読み出し／記憶ユニット２７は、集積回路２９（ＩＣ）内に封入されており、チップハウジング内に集約することができ、プリント回路基板２２と共にセンサユニット２を形成することができる。実際には、封入は両面への接着剤の塗布によって、または鋳造法によって達成される。集積回路２９、すなわちチップハウジングは、プリント回路基板２２上にはんだ付けされる。集積回路２９のコンパクト設計により、センサユニット２の製造をさらに一層簡素化することができる。
【００３８】
図２ｄに、２つの熱流センサ２０、２０’が長手方向に互いに離間されて、少なくとも１つのプリント回路基板２２の同じ側にはんだ付けされているセンサユニット２を示す。熱キャパシタンス２４は、長手方向に第１の熱流センサ２０の高さで、熱流センサを含まない少なくとも１つのプリント回路基板２２の側に配置されている。加えて、断熱材２３も、長手方向に第２の熱流センサ２０’の高さで、熱流センサを含まない少なくとも１つのプリント回路基板２２の側に配置されている。熱流センサを含まない側には、金属板３０が、断熱材２３および熱キャパシタンス２４と接し、プリント回路基板２２と平行に延びるように配置されている。金属板３０はまた、プリント回路基板２２上の熱伝導材料でできているブロック、またはセンサ・ユニット・スリーブ２８と接し、かつ／またはこれを部分的に覆うように配置することもできる。
【００３９】
好ましくはアルミニウムでてきており、剛性または可撓性であり得る金属板３０によって、金属板３０に沿って同じ外部温度で熱平衡が達成され、測定精度を高めることができる。
【００４０】
特に耳内では、センサユニットの統合によってスペースを節約することを目的とすべきであるので、断熱材２３および／または熱キャパシタンス２４の構成を修正することができる。ここで、断熱材２３またはキャパシタンス２４は、プリント回路基板２２上に配置される必要はないが、プリント回路基板２２に組み込むこともできる。ここでは、例えば、断熱材２３がプリント回路基板２２の断面内を通っているように示されており、よってこの断熱材は断熱層、例えば空気溜りとすることができる。熱伝導率は、熱ビア、例えばＣｕビアを導入することによって増加し、これは、銅で充填された止まり穴または貫通孔の形の熱キャパシタンス２４として構成される。加えて、熱キャパシタンス２４はまた、ここでは図示されていない、隠された熱ビア、いわゆる「埋め込みビア」として設計することもできる。
【００４１】
図２ｆに示すように、プリント回路基板２２は、集積回路２９と共に、両側でセンサ・ユニット・スリーブ２８によってほぼ完全に囲まれている。接続ワイヤ３を携帯型コンピュータシステム０の電子機器回路に接続することは容易に可能である。
【００４２】
特にプリント回路基板２２上にはんだ付けすることができる配置可能な熱流センサ２０、２０’は、その内容が本明細書で参照される、本出願人の欧州特許第２９３８９８０号および国際公開第２０１６１２８２４７号パンフレットに記載されている。機械的に十分にロバストであり、プリント回路基板２２の表面上にはんだ付けすることができる、熱侵入性が低い小型かつ／または薄型のモノリシック熱流センサを配置することができる。このために、金属と少なくとも１つの電気絶縁マトリックス層とを含む、異なる材料の複数の層からなるサンドイッチ状構造が選択される。そのようなモノリシック熱流センサ２０、２０’は、少なくとも一方の側の閉じられた本体と、異なる金属層の間にいくつかの感知接合部とを形成する。温度センサ２１は長い間公知の技術であり、様々に構成された温度センサ２１を使用することができる。プリント回路基板２２上に、または別のプリント回路基板上にはんだ付けすることができる公知の技術のすべての温度センサ２１を温度センサ２１として使用することができる。とりわけ、赤外線センサを温度測定に使用することができる。赤外線センサはセンサ・ユニット・スリーブ２８によって囲まれていてはならない。好ましい実施形態では、センサユニット２は複数のプリント回路基板２２を含み、少なくとも１つの熱流センサ２０、２０’が１つのプリント回路基板２２上に配置されており、温度測定のための赤外線センサが、第１のプリント回路基板２２から空間的に分離されて配置された別のプリント回路基板上に配置されている。適切な配線によって、第１のプリント回路基板２２上の少なくとも１つの熱流センサ２０、２０’からの測定値、および第２のプリント回路基板上の赤外線センサからの測定値を読み出し／記憶ユニット２７において処理することができる。赤外線センサは、センサユニット２の一部であるが、センサ・ユニット・スリーブ２８に囲まれていない状態のままでなければならない。これを達成する最も容易な方法は、赤外線センサを第２の回路基板に配置することである。
【００４３】
図３に、部分的に円形のプリント回路基板２２、より詳細には、後で皮膚表面に面するセンサの側に平面図内の空洞Ａを有する部分的に円形の断面領域を有するセンサユニット２を示す。簡潔にするために、ここではセンサ・ユニット・スリーブ２８が省略されているので、センサの側から突出しいる熱流センサ２０および温度センサ２１が見えている。プリント回路基板２２上のストリップ導体は、破線矢印で示すように、プリント回路基板２２の中央の温度センサ２１および熱流センサ２０までプリント回路基板２２に沿って可能な限り長い円形経路に沿って延びる。これにより、接続ワイヤ３からの熱伝導によって引き起こされる熱損失や妨害入熱が実質的に防止される。
【００４４】
特に、ブリッジと境を接する、各々熱流センサ２０と温度センサ２１とに長手方向に隣接する、２つの腎臓形空洞Ａの配置によって、中央のプリント回路基板ディスクが形成され、温度センサ２１と熱流センサ２０との熱的に阻害されない実装が達成される。縁部領域内の空洞Ａ’によって、接続ワイヤ３の接点とセンサ２０、２１との間の妨害熱流もまたさらに低減される。
【００４５】
センサ・ユニット・スリーブ２８を装着したセンサユニット２が図４ａに示されている。センサ・ユニット・スリーブ２８は、電気部品およびプリント回路基板２２を部分的に覆っている。使用時には、断面線Ｂ−Ｂに沿って図４ｂに示すように、センサユニット２はそのセンサ・ユニット・スリーブ２８と共に、ユーザの皮膚Ｈ上に置かれるかまたは押し付けられ、よって熱流および温度の測定を行うことができ、公知の技術のアルゴリズムを使用して現在の深部体温を決定することができる。ここでは、センサ・ユニット・スリーブ２８もまた、皮膚と反対を向いたプリント回路基板２２の側に延在しており、センサ・ユニット・スリーブ２８は、接着パッド４によって囲まれている。
【００４６】
センサ・ユニット・スリーブ２８を取り付けたセンサユニット２を製造した後、プリント回路基板２２を突出したセンサ・ユニット・スリーブ２８と共に接着パッド４の空洞１２’に取り付けることができ、これは医療技術からの公知の技術であり、例えば、皮膚への電極の取り付けに役立つ。接続ワイヤ３は、接着パッド４へのセンサユニット２の取り付けの前または後に、医療機器の電子機器回路に接続することができる。接着パッド４は、断熱材２３と同じ材料から製造され、例えば３Ｍ社の公知の技術と同様に、皮膚に適合する接着層を有する。
【００４７】
熱接着パッド４の材料の熱伝導率λは、空気の熱伝導率（λａｉｒ＝０．０２４Ｗ／ｍ／Ｋ）程度、すなわち０．０１Ｗ／ｍ／Ｋ〜０．１Ｗ／ｍ／Ｋであるべきである。
【００４８】
センサユニット２を携帯型コンピュータシステム０のハウジング１内に可能な限り容易に導入するために、以下の方法が使用される。
【００４９】
好ましい製造および統合の方法
図６に、携帯型コンピュータシステム０のハウジング１にセンサユニット２を統合する方法を示す。センサユニット２は、プリント回路基板２２の縁部が貫通孔１２を塞ぐようにハウジング１内の貫通孔１２を覆うために使用される。ここで、熱流センサ２０や温度センサ２１などの電子部品は、貫通孔１２の高さで位置決めされるか、または貫通孔１２内に突出する。プリント回路基板２２は、接着剤によってハウジング１の壁に接合することができる。貫通孔１２をプリント回路基板２２で覆った結果として、次のステップで、貫通孔１２を、センサ・ユニット・スリーブ２８を形成するように、例えばシリコーン塊で充填することができる。ここで、図６ｂの充填は、センサ・ユニット・スリーブ２８の一部が皮膚接触面１０の方向に貫通孔１２から突出するように実施される。プリント回路基板２２の位置決めは矢印で示すように実行される。センサユニット２は、上述したように実施されるが、プリント回路基板２２が適所に固定された後に初めてセンサ・ユニット・スリーブ２８と嵌合される。貫通孔１２は、ハウジング１の内部１１の方向から充填される。
【００５０】
プリント回路基板２２から電子機器回路（図示せず）までの接続ワイヤ３は、鋳造または充填プロセスの前に、または空洞１２が充填された後で初めて接続することができる。
【００５１】
加速された熱伝導を得ると共に、環境と身体との間の平衡を維持するために、ハウジング１の内部１１を横断し、ハウジング１の外部と接する金属棒Ｍが、内部１１の方向を指して、熱流センサ２０の高さで、身体と反対を向いたプリント回路基板２２の側に取り付けられる。実施形態に応じて、この金属棒Ｍはその側壁を断熱することもできる。
【００５２】
図７ａから図７ｃに記載されている別の製造方法を使用することも可能である。センサユニット２の製造後、センサユニット２は鋳型５に配置され、接続ワイヤ３が鋳型５から突出する。鋳型５の壁は金属またはプラスチック材料のどちらかで作ることができる。
【００５３】
次のステップで、鋳型５は、後でセンサ・ユニット・スリーブ２８を形成する材料で充填される。センサユニット２は四方を材料で囲まれるので、プリント回路基板２２およびすべての構成要素がセンサ・ユニット・スリーブ２８で囲まれる。硬化後、囲まれたセンサユニット２を、携帯型コンピュータシステム０のハウジング１内の空洞１２、１３内に配置し、取り外し可能に保持されるようにその中に押し込むことができる。センサ・ユニット・スリーブ２８の十分な熱伝導性を有する材料は、空洞１２、１３の壁と密着し、それが意図せずに滑り落ちるのを防止する。センサ・ユニット・スリーブ２８に埋め込まれたセンサユニット２は栓を形成し、これが空洞１２、１３内に留まる。
【００５４】
保持力を向上させるために、適切な接着剤を使用することができ、接着剤は、センサ・ユニット・スリーブ２８に包み込まれたセンサユニット２が押し込まれる前に空洞１２、１３の壁全体に分配される。これに対応して、取り外し不能な接続もまた達成することができる。
【００５５】
ここで使用される鋳型５は、任意選択で一回鋳型として使用することもでき、センサユニット２に接続されたままとすることもでき、またはセンサユニット２がハウジング１内の空洞１２に実装される前に取り外すこともできる。
【００５６】
実際には、センサユニット２が皮膚Ｈ上に配置されると、少なくとも１つの熱流センサ２０、２０’および少なくとも１つの温度センサ２１、２１’からの測定値が記録され、そこから様々なアルゴリズムを使用して深部体温を決定することができる。可能な限り最も正確な決定には較正測定が必要であり、使用される材料の種類および厚さが知られていなければならない。深部体温の決定において有用な結果をもたらす、複数の可能なアルゴリズムが公知の技術である。
【００５７】
センサユニット２は好ましくは、センサ・ユニット・スリーブ２８がハウジング１の壁から離れてハウジング１から突出するように部分的に配置されるように、センサ・ユニット・スリーブ２８内に挿入される。センサユニット２、またはより詳細にはセンサ２０、２１の熱結合は次いで、しかるべく最適化される。
【００５８】
センサ・ユニット・スリーブ２８は、熱伝導材料で充填された、例えばＰＶＣ製のスリーブまたはシリンダとすることができる。このシリンダはまた、熱経路をよりよく画定するように、断熱材料（発泡体）で作ることもできる。
【００５９】
一変形形態では、センサユニット２は、互いに分離された複数のプリント回路基板２２を有することができ、その上に温度センサ２１、２１’および熱流センサ２０、２０’および／または他の電子部品を互いに分離して配置することができる。その場合、すべてのプリント回路基板２２は、少なくとも１つのセンサ・ユニット・スリーブ２８によって少なくとも部分的に囲まれているべきである。温度センサ２１、２１’として赤外線センサが使用される場合、それはセンサ・ユニット・スリーブ２８によって囲まれてはならない。
【符号の説明】
【００６０】
０  携帯型コンピュータシステム
１  ハウジング
１０  皮膚接触面
１１  内部
１２  空洞／貫通孔
１３  空洞／止まり穴
２  センサユニット
２０、２０’  熱流センサ（少なくとも１つ）
２１、２１’  温度センサ（少なくとも１つ）
２２  プリント回路基板、ＰＣＢ
２３  断熱材
２４  熱キャパシタンス
２５  アナログ・デジタル変換器
２６  マイクロコントローラ
２７  読み出し／記憶ユニット
２８  センサ・ユニット・スリーブ
２９  パッケージ化された、統合スイッチング回路
３０  金属板
Ａ  空洞
３  接続ケーブル（電子機器回路へ）
４  接着パッド（皮膚に取り付けられる）
５  鋳型
【図１ａ】
2020518788.tif 000003
【図１ｂ】
2020518788.tif 000004
【図１ｃ】
2020518788.tif 000005
【図２ａ】
2020518788.tif 000006
【図２ｂ】
2020518788.tif 000007
【図２ｃ】
2020518788.tif 000008
【図２ｄ】
2020518788.tif 000009
【図２ｅ】
2020518788.tif 000010
【図２ｆ】
2020518788.tif 000011
【図３】
2020518788.tif 000012
【図４ａ】
2020518788.tif 000013
【図４ｂ】
2020518788.tif 000014
【図５】
2020518788.tif 000015
【図６ａ】
2020518788.tif 000016
【図６ｂ】
2020518788.tif 000017
【図６ｃ】
2020518788.tif 000018
【図７ａ】
2020518788.tif 000019
【図７ｂ】
2020518788.tif 000020
【図７ｃ】
2020518788.tif 000021
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
少なくとも１つの熱流センサ（２０、２０’）と少なくとも１つの温度センサ（２１、２１’）とを含む、体外の表面上で決定され得る測定値によって深部体温を決定するためのセンサユニット（２）であって、
前記センサユニット（２）が、少なくとも１つのプリント回路基板（２２）と、異なる材料の複数の層を含むサンドイッチ状構造の形の少なくとも１つのモノリシック熱流センサ（２０、２０’）と、少なくとも１つの温度センサ（２１、２１’）とを含み、
前記少なくとも１つのプリント回路基板（２２）と、前記少なくとも１つの温度センサ（２１、２１’）とが、前記少なくとも１つのプリント回路基板（２２）上に、互いに離間されてはんだ付けされており、
前記センサ（２０、２０’、２１、２１’）を、ワイヤまたはストリップ導体によってアナログ・デジタル変換器（２５）およびマイクロコントローラ（２６）に接続することができ、
前記電子部品（２０、２１、２５、２６）を、接続ワイヤ（３）またはストリップ導体によって携帯型コンピュータシステム（０）の電子機器回路に接続することができ、電子部品（２０、２１、２５、２６）が配置された前記少なくとも１つのプリント回路基板（２２）が、センサ・ユニット・スリーブ（２８）によって少なくとも部分的に囲まれている、
ことを特徴とするセンサユニット（２）。
【請求項２】
前記センサユニット（２）が２つのプリント回路基板（２２）を含み、前記少なくとも１つの熱流センサ（２０、２０’）と前記少なくとも１つの温度センサ（２１、２１’）とが、空間的に分離された異なるプリント回路基板（２２）上に配置されている、請求項１に記載のセンサユニット（２）。
【請求項３】
前記少なくとも１つのプリント回路基板（２２）が前記温度センサ（２１、２１’）と共に少なくとも部分的に前記センサ・ユニット・スリーブ（２８）に囲まれていない状態のままである、請求項２に記載のセンサユニット（２）。
【請求項４】
前記少なくとも１つのモノリシック熱流センサ（２０）と前記少なくとも１つの温度センサ（２１）とが、前記少なくとも１つのプリント回路基板（２２）の同じ側に、重なり合って積層されて、はんだ付けされている、請求項１に記載のセンサユニット（２）。
【請求項５】
前記センサユニット（２）、および／または前記少なくとも１つのプリント回路基板（２２）が、前記センサ・ユニット・スリーブ（２８）によって完全に包み込まれている、請求項１または４のいずれか一項に記載のセンサユニット（２）。
【請求項６】
アナログ・デジタル変換器（２５）が前記少なくとも１つのプリント回路基板（２２）上に直接取り付けられて配置されている、請求項１から５のいずれか一項に記載のセンサユニット（２）。
【請求項７】
さらにマイクロコントローラ（２６）と読み出し／記憶ユニット（２７）とが前記少なくとも１つのプリント回路基板（２２）上に取り付けられて配置されている、請求項６に記載のセンサユニット（２）。
【請求項８】
２つの熱流センサ（２０、２０’）が前記長手方向に互いに離間されて、前記少なくとも１つのプリント回路基板（２２）の同じ側にはんだ付けされており、断熱材（２３）が、前記長手方向に前記第１の熱流センサ（２０）の高さで、熱流センサを含まない前記プリント回路基板（２２）の側に配置されており、第１の熱流を、前記断熱材（２３）および前記第１の熱流センサ（２０）を通して測定することができ、第２の熱流を、前記第２の熱流センサ（２０’）を通して測定することができる、請求項１から７のいずれか一項に記載のセンサユニット（２）。
【請求項９】
２つの熱流センサ（２０、２０’）が前記長手方向に互いに離間されて、前記少なくとも１つのプリント回路基板（２２）の同じ側にはんだ付けされており、熱キャパシタンス（２４）が、前記長手方向に前記第１の熱流センサ（２０）の高さで、熱流センサを含まない前記少なくとも１つのプリント回路基板（２２）の側に配置されており、第１の熱流を、前記熱キャパシタンス（２４）および前記第１の熱流センサ（２０）を通して測定することができ、第２の熱流を、前記第２の熱流センサ（２０’）を通して測定することができる、請求項１から８のいずれか一項に記載のセンサユニット（２）。
【請求項１０】
熱流センサを含まない前記少なくとも１つのプリント回路基板（２２）の側に、金属板（３０）が、断熱材（２３）、および／または熱キャパシタンス（２４）、および／または熱伝導材料でできているブロック、および／または前記センサ・ユニット・スリーブ（２８）の一部と広範囲に接するように配置されている、請求項１に記載のセンサユニット（２）。
【請求項１１】
前記少なくとも１つのプリント回路基板（２２）の片側に、熱流センサ（２０）、第１の温度センサ（２１’）および断熱材（２３）が前記長手方向に互いに離間されて配置されており、熱流センサを含まない前記少なくとも１つのプリント回路基板（２２）の反対側に、第２の温度センサ（２１）が前記長手方向に沿って前記断熱材（２３）の高さで配置されており、第１の温度を、前記第１の温度センサ（２１’）の位置で測定することができ、第２の温度を、前記熱流が前記断熱材（２３）を通った後の前記第２の温度センサ（２１）の位置で測定することができる、請求項１から１０のいずれか一項に記載のセンサユニット（２）。
【請求項１２】
前記少なくとも１つのモノリシック熱流センサ（２０、２０’）、前記少なくとも１つの温度センサ（２１、２１’）、前記アナログ・デジタル変換器（２５）、前記マイクロコントローラ（２６）、前記断熱材（２３）、および／または熱キャパシタンス（２４）が、集積回路（２９）にパッケージ化され、前記少なくとも１つのプリント回路基板（２２）の片側に取り付けられている、請求項１から１１のいずれか一項に記載のセンサユニット（２）。
【請求項１３】
前記センサ・ユニット・ハウジング（２８）が機械的に柔軟であり、前記熱伝導率が０．３〜１０Ｗ／ｍＫに、好ましくは０．８〜３Ｗ／ｍＫにあり、すなわち、前記センサ・ユニット・ハウジング（２８）が特に好ましくは熱伝導シリコーンから製造されている、請求項１から１２のいずれか一項に記載のセンサユニット（２）。
【請求項１４】
前記断熱材（２３）の材料が、０．０１Ｗ／（ｍ＊Ｋ）〜０．１Ｗ／（ｍ＊Ｋ）の熱伝導率λを有し、ポリマー、特にエチレン・プロピレン・ジエンゴム（ＥＰＤＭ）、またはポリプロピレンである、請求項８から１３のいずれか一項に記載のセンサユニット（２）。
【請求項１５】
前記少なくとも１つのプリント回路基板（２２）の断面領域が少なくとも部分的に円形であり、前記ストリップ導体が少なくとも部分的に輪状線に沿って前記少なくとも１つのプリント回路基板（２２）の中央まで案内され、前記少なくとも１つの熱流センサ（２０）と前記少なくとも１つの温度センサ（２１）とのはんだ付け面が前記少なくとも１つのプリント回路基板（２２）の中央に位置する、請求項１から１４のいずれか一項に記載のセンサユニット（２）。
【請求項１６】
前記少なくとも１つのプリント回路基板（２２）の中央が空洞（Ａ）によって囲まれており、前記空洞（Ａ）が腎臓形として実施されている、請求項１５に記載のセンサユニット（２）。
【請求項１７】
前記センサ・ユニット・スリーブ（２８）、または前記プリント回路基板（２２）上に配置された金属棒（Ｍ）が、皮膚接触面（１０）と反対の前記プリント回路基板（２２）の側から突出し、特に好ましくはハウジング（１）の壁まで延在している、請求項１から１６のいずれか一項に記載のセンサユニット（２）。
【請求項１８】
断熱材（２３）および／または熱キャパシタンス（２４）が、前記プリント回路基板（２２）内に延びて配置されており、断熱層含有物（２３）、好ましくは空気溜りによって、かつ／または熱ビア（２４）によって形成されている、請求項１から１７のいずれか一項に記載のセンサユニット（２）。
【請求項１９】
請求項１から１８のいずれか一項に記載のセンサユニット（２）を有する、携帯型コンピュータシステム（０）。
【請求項２０】
プリント回路基板（２２）上に少なくとも１つの測定センサと電子部品とを含む、センサユニット（２）を、携帯型コンピュータシステム（０）のハウジング（１）に統合するための方法であって、
貫通孔（１２）の形の空洞（１２）を有するハウジング（１）を設けるステップと、
アナログ・デジタル変換器（２５）とマイクロコントローラ（２６）と読み出し／記憶ユニット（２７）とに接続されている少なくとも１つの熱流センサ（２０、２０’）が突出するプリント回路基板（２２）を含む、前記センサユニット（２）を設けるステップと、
前記プリント回路基板（２２）を前記ハウジング（１）内の前記貫通孔（１２）の上方に位置決めし、前記プリント回路基板（２２）を前記ハウジング（１）の壁に取り付けるステップと、
一方の側が閉じられた前記貫通孔（１２）を、センサ・ユニット・スリーブ（２８）を形成する流動性材料で充填するステップと、その後に、
前記プリント回路基板（２２）を接続ワイヤ（３）によって前記携帯型コンピュータシステム（０）の電子機器回路に接続するステップと、
によることを特徴とする方法。
【請求項２１】
前記貫通孔（１２）を充填する前記ステップの後に、前記センサ・ユニット・スリーブ（２８）が皮膚接触面（１０）の方向に前記貫通孔（１２）から少なくとも部分的に突出する、請求項２０に記載のセンサユニット（２）を統合するための方法。
【請求項２２】
プリント回路基板（２２）上に少なくとも１つの測定センサと電子部品とを含むセンサユニット（２）の製造、および、前記センサユニット（２）の、携帯型コンピュータシステム（０）のハウジング（１）への、または皮膚（Ｈ）上に取り付けるための接着パッド（４）への統合であって、
空洞（１２、１３）を有するハウジング（１）、または空洞（１２’）を有する接着パッド（４）を設けるステップと、
前記センサユニット（２）を設けるステップと、
前記センサユニット（２）を鋳型（５）に挿入するステップであって、接続ワイヤ（３）が前記鋳型（５）から突出する、前記挿入するステップと、
機械的に柔軟な硬化材料、好ましくは熱伝導シリコーンを、センサ・ユニット・スリーブ（２８）を形成するように前記鋳型（５）に注入するステップと、
前記センサ・ユニット・スリーブ（２８）を硬化させるステップと、
前記センサ・ユニット・スリーブ（２８）によって囲まれた前記センサユニット（２）を、前記携帯型コンピュータシステム（０）の前記ハウジング（１）内の前記空洞（１２、１３）、または前記接着パッド（４）内の前記空洞（１２’）に挿入するステップと、
その後に前記接続ワイヤ（３）を前記携帯型コンピュータシステム（０）の前記電子機器回路に接続するステップと、
によることを特徴とする製造および統合。
【請求項２３】
前記鋳型（５）が、前記センサ・ユニット・スリーブ（２８）の前記材料上に一回鋳型として残る、請求項２２に記載の方法。
【請求項２４】
前記鋳型（５）が、前記センサ・ユニット・スリーブ（２８）を硬化させる前記ステップの後に前記センサ・ユニット・スリーブ（２８）から取り外される、請求項２２に記載の方法。
【請求項２５】
前記空洞（１２、１３、１２’）が貫通孔（１２）として設計されている、請求項２４に記載の方法。
【請求項２６】
前記空洞（１２、１３、１２’）が止まり穴（１２）として設計されている、請求項２４に記載の方法。
【請求項２７】
前記空洞（１２、１３、１２’）の内壁が、前記センサ・ユニット・スリーブ（２８）、または前記鋳型（５）に入った前記センサ・ユニット・スリーブ（２８）が前記空洞（１２、１３）に差し込まれる前に、接着剤で被覆される、請求項２２から２６のいずれか一項に記載の方法。
【国際調査報告】
2020518788.tif 000022
2020518788.tif 000023
2020518788.tif 000024
2020518788.tif 000025
2020518788.tif 000026
2020518788.tif 000027